(57)【要約】【課題】容易に取り付けができ、薄型テレビの台座部の形状に柔軟に対応しつつ安定して薄型テレビを固定し得る薄型テレビ掴持具を提供する。【解決手段】薄型テレビ40の台座部41の後端縁部上面を押圧する押圧部材１と、テレビ台45の天板46の後端縁部下面に当接する下当接部材２と、を備える。また、下当接部材２に締結部材19にて上下調整可能に取り付けられると共に押圧部材１にて枢結される中間体３を具備する。また、押圧部材１に設けられた上下貫通状のねじ孔５に取り付けられる角度調整ボルト６と、角度調整ボルト６の下端が当接する当面７を有すると共に中間体３に設けられる受け片部８にて、押圧部材１を中間体３に対して所定の揺動角度に維持しつつ、押圧部材１と下当接部材２にて、台座部41及び天板46を掴持するように構成した。【選択図】図２
2008005262.tif 000002
【特許請求の範囲】
【請求項１】
薄型テレビ（40）の台座部（41）の後端縁部上面を押圧する押圧部材（１）と、該薄型テレビ（40）を載置するテレビ台（45）の天板（46）の後端縁部下面に当接する下当接部材（２）と、を備えた薄型テレビ掴持具であって、
上記下当接部材（２）に締結部材（19）にて上下調整可能に取り付けられると共に上記押圧部材（１）と枢結部（４）にて枢結される中間体（３）を具備し、
上記枢結部（４）より後方となるように該押圧部材（１）に設けられた上下貫通状のねじ孔（５）に螺進退自在に取り付けられる角度調整ボルト（６）と、該角度調整ボルト（６）の下端が当接する当面（７）を有すると共に上記中間体（３）に設けられる受け片部（８）にて、上記押圧部材（１）を該中間体（３）に対して所定の揺動角度に維持しつつ、該押圧部材（１）と上記下当接部材（２）にて、上記台座部（41）及び上記天板（46）を掴持するように構成したことを特徴とする薄型テレビ掴持具。
【請求項２】
上記下当接部材（２）は、上記中間体（３）が嵌め込まれる上方開口状の嵌込孔部（９）を有し、該嵌込孔部（９）を形成する後壁部（10）には、上端縁部から下方へ切り欠かれたスリット部（11）が形成され、
上記受け片部（８）は、後方へ突出する略倒立三角片状に形成されて、該スリット部（11）に嵌め込まれ、
さらに、上記当面（７）は、上記受け片部（８）の上端面側に、側面視弯曲凹状に形成されている請求項１記載の薄型テレビ掴持具。
【請求項３】
上記中間体（３）は、平面視において左右が長辺となる矩形状に形成され、かつ、左右両端に上方突出状の突片部 (13)(13) を有し、一対の該突片部 (13)(13) の間において、上記押圧部材（１）が該突片部 (13)(13) 側と枢結されている請求項１又は２記載の薄型テレビ掴持具。
【請求項４】
上記押圧部材（１）の上記台座部（41）に当接する側には、クッション材（12）が付設されている請求項１，２又は３記載の薄型テレビ掴持具。
【発明の詳細な説明】
【技術分野】
【０００１】
本発明は、薄型テレビ掴持具に係り、より詳しくは、液晶テレビやプラズマテレビ等の薄型テレビをテレビ台に固定する薄型テレビ掴持具に関する。
【背景技術】
【０００２】
従来、液晶テレビやプラズマテレビ等の薄型テレビをテレビ台に固定し、薄型テレビの転倒を防止するための種々の転倒防止器具が開示されている（例えば、特許文献１参照）。
特許文献１には、第１結合部を有すると共に薄型テレビに両面接着テープにて固定される第１のＴ形部材と、第２結合部を有すると共にテレビ台に両面接着テープにて固定される第２のＴ形部材と、第１結合部と第２結合部とを連結するベルト状の連結部材と、を備え、連結部材が第１結合部と第２結合部とを繋ぎ止めることにより、薄型テレビの転倒を防止する器具が開示されている。
【特許文献１】実用新案登録第３１１２６５６号公報
【発明の開示】
【発明が解決しようとする課題】
【０００３】
しかしながら、上述の特許文献１のような従来の転倒防止器具では、第１のＴ形部材及び第２のＴ形部材を薄型テレビ及びテレビ台の適当な場所に取り付け、さらに連結部材の長さの調整を行う必要があり、取付作業が煩雑であった。
また、従来、特許文献１のようなタイプの転倒防止器具の他にも、薄型テレビの台座部とテレビ台の天板とを掴持して、薄型テレビの転倒防止を図るタイプの転倒防止器具（薄型テレビ掴持具）が存在する。しかしながら、従来の薄型テレビ掴持具は、薄型テレビの台座部の形状に柔軟に対応できない構造であり、不安定な状態でしか薄型テレビを固定できなかった。
そこで、本発明は、容易に取り付けができ、薄型テレビの台座部の形状に柔軟に対応しつつ安定して薄型テレビを固定し得る薄型テレビ掴持具を提供することを目的とする。
【課題を解決するための手段】
【０００４】
上記の目的を達成するために、本発明に係る薄型テレビ掴持具は、薄型テレビの台座部の後端縁部上面を押圧する押圧部材と、該薄型テレビを載置するテレビ台の天板の後端縁部下面に当接する下当接部材と、を備えた薄型テレビ掴持具であって、上記下当接部材に締結部材にて上下調整可能に取り付けられると共に上記押圧部材と枢結部にて枢結される中間体を具備し、上記枢結部より後方となるように該押圧部材に設けられた上下貫通状のねじ孔に螺進退自在に取り付けられる角度調整ボルトと、該角度調整ボルトの下端が当接する当面を有すると共に上記中間体に設けられる受け片部にて、上記押圧部材を該中間体に対して所定の揺動角度に維持しつつ、該押圧部材と上記下当接部材にて、上記台座部及び上記天板を掴持するように構成したものである。
【０００５】
また、上記下当接部材は、上記中間体が嵌め込まれる上方開口状の嵌込孔部を有し、該嵌込孔部を形成する後壁部には、上端縁部から下方へ切り欠かれたスリット部が形成され、上記受け片部は、後方へ突出する略倒立三角片状に形成されて、該スリット部に嵌め込まれ、さらに、上記当面は、上記受け片部の上端面側に、側面視弯曲凹状に形成されている。
また、上記中間体は、平面視において左右が長辺となる矩形状に形成され、かつ、左右両端に上方突出状の突片部を有し、一対の該突片部の間において、上記押圧部材が該突片部側と枢結されている。
また、上記押圧部材の上記台座部に当接する側には、クッション材が付設されている。
【発明の効果】
【０００６】
本発明は、次のような著大な効果を奏する。
本発明に係る薄型テレビ掴持具は、種々の薄型テレビの台座部の形状に柔軟に対応しつつ、安定して薄型テレビを固定できる。
また、角度調整ボルトを回すだけで押圧部材の中間体に対する揺動角度を所望の角度に調整できるので、角度調整作業が容易である。
また、種々の厚みの天板や台座部に容易に対応できると共に、容易に取り付けを行い得る。
また、台座部を傷つけることなく、薄型テレビを固定し得る。
【発明を実施するための最良の形態】
【０００７】
以下、実施の形態を示す図面に基づき、本発明を詳説する。
図１及び図２に於て、本発明の実施の一形態に係る薄型テレビ掴持具は、学校，病院，オフィス等において公共の物として設置される液晶テレビやプラズマテレビ等の薄型テレビ40に対して、主に使用される。
本実施形態に係る薄型テレビ掴持具は、薄型テレビ40の台座部41の後端縁部上面を押圧する押圧部材１と、薄型テレビ40を載置するテレビ台45の天板46の後端縁部下面に当接する下当接部材２と、を備えている。さらに、下当接部材２にボルト状の締結部材19にて上下調整可能に取り付けられると共に押圧部材１と枢結部４にて枢結される中間体３を具備している。
ここで、本実施形態では、テレビ台45の天板46は、薄い金属板から成っている。また、天板46の後端部は、コの字状に折り曲げられており、後面部46ａと下面部46ｂと内面部46ｃが、形成されている。また、図１及び図２の薄型テレビ40の台座部41の後端縁部上面は、傾斜状となっている。
【０００８】
本実施形態に係る薄型テレビ掴持具についてより詳しく説明すると、押圧部材１は、略帯板状に形成されている。また、押圧部材１には、枢結部４より後方となるように、上下貫通状のねじ孔５が設けられている。
押圧部材１のねじ孔５には、角度調整ボルト６が螺進退自在に取り付けられている。
また、押圧部材１には、枢結部４より前方側であって、台座部41に当接する側に、クッション材12が付設されている。より具体的には、押圧部材１には、下面側に取付凹部14が形成され、この取付凹部14にクッション材12が嵌め込まれている。
【０００９】
下当接部材２は、側面視Ｌ字型の部材であり、天板46の後端縁部下面側から下面部46ｂに当接する部分である水平部２ａと、天板46の後面部46ａに当接する鉛直部２ｂと、を有している。
水平部２ａには、アングル部材15が、ボルト等の固着具16にて取り付けられている。より詳しくは、アングル部材15は、左右方向の長孔20を有し、この長孔20に固着具16が挿通状とされている。従って、アングル部材15は、固着具16を緩めることによって、下当接部材２に対して左右に移動可能となっている。また、アングル部材15は、天板46の内面部46ｃに当接するようになっている。これにより、アングル部材15と、下当接部材２の鉛直部２ｂにて、薄型テレビ掴持具の前後方向の移動が規制されるようになっている。
また、下当接部材２の鉛直部２ｂには、中間体３が嵌め込まれる上方開口状で平面視矩形状の嵌込孔部９が設けられている。この嵌込孔部９を形成する後壁部10には、上端縁部から下方へ切り欠かれたスリット部11が形成されている。
また、下当接部材２の鉛直部２ｂの下面側には、凹窪部21が形成され、凹窪部21を形成する底壁部には、嵌込孔部９と連通する挿通孔18が設けられている。
【００１０】
また、中間体３は、平面視において左右が長辺となる矩形状に形成され、かつ、左右両端に上方突出状の突片部13，13を有し、一対の突片部13，13の間において、押圧部材１が突片部13，13側と枢結部４にて枢結されている。
中間体３は、下当接部材２の嵌込孔部９に嵌め込まれて、下当接部材２に対して上下スライド移動自在とされている。
また、中間体３は、上下方向の取付ねじ孔17を有している。この取付ねじ孔17には、下当接部材２の挿通孔18に下側から挿通された締結部材19が螺合されている。なお、締結部材19の頭部は、下当接部材２の凹窪部21に嵌め込まれて、凹窪部21を形成する底壁部にて上方向の移動が規制されるようになっている。
【００１１】
ここで、中間体３の後側には、受け片部８が中間体３と一体状に設けられている。この受け片部８は、後方へ突出する略倒立三角片状に形成されている。受け片部８の上端面側には、当面７が側面視弯曲凹状に形成されている。例えば、図３に示すように、半径Ｒの弧面となっている。当面７には、角度調整ボルト６の下端が当接されるようになっている。中間体３が嵌込孔部９に嵌め込まれた状態では、中間体３に設けられた受け片部８は、スリット部11に嵌め込まれるようになっている。
【００１２】
次に、図２〜図４に於て、本発明に係る薄型テレビ掴持具の作用について説明する。    まず、図２及び図３では、薄型テレビ40の台座部41の後端縁部上面が傾斜状となっており、このような台座部41とテレビ台45の天板46とを、本発明に係る薄型テレビ掴持具にて掴持している。  
この場合、締結部材19の締め込みにより、押圧部材１と下当接部材２にて、台座部41及び天板46は所定の押圧力をもって掴持され、台座部41のテレビ台45に対する上下移動が規制されている（即ち、薄型テレビ40のテレビ台45に対する上下移動が規制されている）。  より詳しく説明すると、押圧部材１には、台座部41から、押圧部材１の前端部を上方へ揺動させようとする反力（図３の矢印Ｆ）が働く。しかしながら、角度調整ボルト６の下端が当面７に当接することにより、押圧部材１の前端部の上方への揺動が規制されている。従って、押圧部材１は、中間体３に対して所定の揺動角度に維持されている。図２及び図３では、押圧部材１の揺動角度は、押圧部材１下側のクッション材12の下面略全体が台座部41の後端縁部上面に接触した状態となるように、調整されている。
【００１３】
また、下当接部材２の水平部２ａは、天板46の下面部46ｂに当接している。
押圧部材１と下当接部材２との台座部41及び天板46に対する押圧力は、締結部材19を回すことによって容易に調整される。即ち、締結部材19を締め込むと、中間体３が下当接部材２に対して下方に移動して、中間体３に枢結された押圧部材１と下当接部材２の水平部２ａとの距離が小さくなる。これにより、台座部41及び天板46に加える押圧力が増大されるようになっている。
また、下当接部材２の水平部２ａに取り付けられたアングル部材15は、天板46の内面部46ｃに当接しているので、アングル部材15と下当接部材２の鉛直部２ｂとにより薄型テレビ掴持具の前後方向の移動が規制され、薄型テレビ掴持具が脱落しないようになっている。
【００１４】
次に、図４に於て、図２及び図３の薄型テレビから別の薄型テレビに変更する場合を考える。図４の薄型テレビの台座部41は、図２及び図３とは異なり、台座部41の後端縁部上面が水平状となっている。
この場合、押圧部材１に付設されたクッション材12を全面的に台座部41の後端縁部上面に当接させるためには、押圧部材１を水平状に維持しなければならない。つまり、台座部41から、押圧部材１の前端部を上方へ揺動させようとする反力が働いても、押圧部材１は水平状に維持されなければならない。そこで、図３の状態よりも角度調整ボルト６を螺進させて（図３の矢印Ａ方向）、角度調整ボルト６の下端が押圧部材１に対してより下方に位置するように調整する。そして、角度調整ボルト６の下端が受け片部８の当面７に当接した時に押圧部材１が水平状となるようにする。
ここで、角度調整ボルト６を螺進退させるのに伴って押圧部材１は揺動し、角度調整ボルト６の下端が当面７上を動く。本実施形態では当面７が弯曲凹状に形成されているので、角度調整ボルト６の下端が当面７に引っかかることがなく、押圧部材１の揺動はスムーズなものとなっている。
なお、押圧部材１が水平状となる位置では、角度調整ボルト６の下端が受け片部８の当面７に当接する場所は、当面７の後端部となる。当面７の後端近傍は、略水平状の面となっている。
また、押圧部材１を水平状にするように角度調整ボルト６を螺進させるのに伴い、適度な押圧力でもって押圧部材１が台座部41を押圧するように、締結部材19を回して押圧力の調整を行う。
【００１５】
このように、角度調整ボルト６と、角度調整ボルト６の下端が当接する当面７を有する受け片部８にて、押圧部材１を中間体３に対して所定の揺動角度に維持しつつ、押圧部材１と下当接部材２にて、（クッション材12を介して）台座部41及び天板46を掴持するようになっている。
また、角度調整ボルト６を螺進退させることにより、押圧部材１の中間体３に対する揺動角度を調整することができ、締結部材19を螺進退させることにより、台座部41に加える押圧力を調整することができるようになっている。
【００１６】
なお、本発明は、上述の実施の形態に限定されず、本発明の要旨を逸脱しない範囲で設計変更可能である。例えば、本実施形態では、中間体３と受け片部８が一体状に形成されている場合を例示したが、本発明はこれに限らず、中間体３と受け片部８が別部材で形成されて相互に固着されていてもよい。
【００１７】
以上のように、本発明に係る薄型テレビ掴持具は、薄型テレビ40の台座部41の後端縁部上面を押圧する押圧部材１と、薄型テレビ40を載置するテレビ台45の天板46の後端縁部下面に当接する下当接部材２と、を備えた薄型テレビ掴持具であって、下当接部材２に締結部材19にて上下調整可能に取り付けられると共に押圧部材１と枢結部４にて枢結される中間体３を具備し、枢結部４より後方となるように押圧部材１に設けられた上下貫通状のねじ孔５に螺進退自在に取り付けられる角度調整ボルト６と、角度調整ボルト６の下端が当接する当面７を有すると共に中間体３に設けられる受け片部８にて、押圧部材１を中間体３に対して所定の揺動角度に維持しつつ、押圧部材１と下当接部材２にて、台座部41及び天板46を掴持するように構成したので、薄型テレビ40の台座部41の後端縁部上面が傾斜状となっている場合に、その傾斜角度に合わせて、押圧部材１の中間体３に対する揺動角度を維持できる。具体的には、角度調整ボルト６の下端を受け片部８の当面７に当接させることによって、押圧部材１の前端部を上方へ揺動させようとする力を受け片部８が受け止め、所定の揺動角度以上に押圧部材１の前端部が上方へ揺動するのを規制できる。また、角度調整ボルト６を螺進退させて押圧部材１に対する角度調整ボルト６の下端位置を変更することによって、押圧部材１の中間体３に対する揺動角度を所望の角度に維持できるので、種々の台座部41における種々の傾斜角度の後端縁部上面に適応することができる。即ち、種々の薄型テレビ40の台座部41の形状に柔軟に対応しつつ、安定して薄型テレビ40を固定できる。
また、角度調整ボルト６を回すだけで押圧部材１の中間体３に対する揺動角度を所望の角度に調整できるので、角度調整作業が容易である。
【００１８】
また、締結部材19にて、中間体３が下当接部材２に対して上下調整可能に取り付けられているので、下当接部材２と押圧部材１との上下間隔を容易に調整できる。これにより、種々の厚みの天板46や台座部41に容易に対応できると共に、容易に本願発明の薄型テレビ掴持具の取り付けを行い得る。
【００１９】
また、下当接部材２は、中間体３が嵌め込まれる上方開口状の嵌込孔部９を有し、嵌込孔部９を形成する後壁部10には、上端縁部から下方へ切り欠かれたスリット部11が形成され、受け片部８は、後方へ突出する略倒立三角片状に形成されて、スリット部11に嵌め込まれ、さらに、当面７は、受け片部８の上端面側に、側面視弯曲凹状に形成されているので、当面７のうち、角度調整ボルト６の軸心方向に対して鉛直方向に近い面の部分にて、角度調整ボルト６の下端を受けることができる。これにより、角度調整ボルト６の下端が当面７に対して横ずれしにくく、押圧部材１を中間体３に対して所定の揺動角度に、より確実に維持できる。
また、押圧部材１の中間体３に対する揺動角度を変更する場合には、角度調整ボルト６を螺進退させるのに伴って、角度調整ボルト６の下端が当面７上をスムーズに移動できる。従って、押圧部材１の中間体３に対する揺動角度を容易に変更できる。
また、受け片部８がスリット部11にガイドされつつ、中間体３が下当接部材２に対して動くので、中間体３の動きをスムーズにし得る。
【００２０】
また、中間体３は、平面視において左右が長辺となる矩形状に形成され、かつ、左右両端に上方突出状の突片部13，13を有し、一対の突片部13，13の間において、押圧部材１が突片部13，13側と枢結されているので、中間体３と下当接部材２とを相互に捩じったときの剛性を高めることができる。また、押圧部材１と中間体３とを相互に捩じったときの剛性も高めることができる。
【００２１】
また、押圧部材１の台座部41に当接する側には、クッション材12が付設されているので、台座部41を傷つけることなく、確実に薄型テレビ40を固定し得る。
【図面の簡単な説明】
【００２２】
【図１】本発明の実施の一形態に係る薄型テレビ掴持具の使用状態を示す斜視図である。
【図２】薄型テレビ掴持具の断面側面図である。
【図３】傾斜状の後端縁部上面の台座部を有する薄型テレビに適用した作用説明図である。
【図４】水平状の後端縁部上面の台座部を有する薄型テレビに適用した作用説明図である。
【符号の説明】
【００２３】
１  押圧部材
２  下当接部材
３  中間体
４  枢結部
５  ねじ孔
６  角度調整ボルト
７  当面
８  受け片部
９  嵌込孔部
10  後壁部
11  スリット部
12  クッション材
13  突片部
19  締結部材
40  薄型テレビ
41  台座部
45  テレビ台
46  天板
【図１】
2008005262.tif 000003
【図２】
2008005262.tif 000004
【図３】
2008005262.tif 000005
【図４】
2008005262.tif 000006